(57)【要約】  一次セルからのマッピング情報を二次セルで受信し、及びそのマッピング情報を使用して、接続要求を、二次セルに関連したユーザ装置に関連付ける、ことを含む方法が提供される。【選択図】      図３
2018504059.tif 000002
【特許請求の範囲】
【請求項１】
一次セルからのマッピング情報を二次セルで受信し、及び
前記マッピング情報を使用して、接続要求を、二次セルに関連したユーザ装置に関連付ける、
ことを含む方法。
【請求項２】
前記マッピング情報は、ユーザ装置アイデンティティ情報を含む、請求項１に記載の方法。
【請求項３】
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む、請求項２に記載の方法。
【請求項４】
前記接続要求は、ソース一次セルから前記一次セルへのハンドオーバー手順の一部分である、請求項１から３のいずれかに記載の方法。
【請求項５】
二次ノード追加要求メッセージ及び二次ノード変更要求メッセージの１つにおいて前記マッピング情報を受信することを含む、請求項４に記載の方法。
【請求項６】
前記二次セルを制御するベースステーションにおいて前記方法を遂行することを含む、請求項１から５のいずれかに記載の方法。
【請求項７】
ソース一次セルから、マッピング情報を、ソース一次セルからのハンドオーバー手順の一部分として受信し、及び
前記マッピング情報を、二次セルに関連したユーザ装置に接続要求を関連付けるのに使用するために二次セルに与える、
ことを含む方法。
【請求項８】
前記マッピング情報は、ユーザ装置アイデンティティ情報を含む、請求項７に記載の方法。
【請求項９】
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む、請求項８に記載の方法。
【請求項１０】
受信したコントロールプレーンアドレスに基づいて前記二次セルにアプリケーションプロトコルアイデンティティを与えることを含む、請求項９に記載の方法。
【請求項１１】
二次ノード追加要求メッセージ及び二次ノード変更要求メッセージの１つにおいて前記マッピング情報を与えることを含む、請求項７から１０のいずれか１つに記載の方法。
【請求項１２】
ターゲット一次セルに、マッピング情報を、ターゲットセルへのハンドオーバー手順の一部分として与える、ことを含む方法。
【請求項１３】
前記マッピング情報は、二次セルに関連したユーザ装置のためのユーザ装置アイデンティティ情報を含む、請求項１２に記載の方法。
【請求項１４】
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む、請求項１３に記載の方法。
【請求項１５】
請求項１から１４のいずれか１つに記載の方法を実施するための手段を備えた装置。
【請求項１６】
コンピュータのためのコンピュータプログラム製品であって、その製品がコンピュータで実行されるときに請求項１から１４のいずれか１つに記載のステップを遂行するためのソフトウェアコード部分を備えたコンピュータプログラム製品。
【請求項１７】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
一次セルからのマッピング情報を二次セルで受信し、及び
前記マッピング情報を使用して、接続要求を、二次セルに関連したユーザ装置に関連付ける、
ようにさせるよう構成された、装置。
【請求項１８】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
ソース一次セルから、マッピング情報を、ソース一次セルからのハンドオーバー手順の一部分として受信し、及び
前記マッピング情報を、二次セルに関連したユーザ装置に接続要求を関連付けるのに使用するために二次セルに与える、
ようにさせるよう構成された、装置。
【請求項１９】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
ターゲット一次セルに、マッピング情報を、ターゲットセルへのハンドオーバー手順の一部分として与える、
ようにさせるよう構成された、装置。
【発明の詳細な説明】
【技術分野】
【０００１】
本発明は、方法、装置及びシステムに関するもので、特に、二重接続（dual connectivity）に関するが、これに限定されない。
【背景技術】
【０００２】
通信システムは、通信経路に含まれた種々のエンティティ間にキャリアを与えることにより、ユーザターミナル、ベースステーション及び／又は他のノードのような２つ以上のエンティティ間の通信セッションを可能にするファシリティと考えることができる。通信システムは、例えば、通信ネットワーク及び１つ以上の両立性通信装置によって提供することができる。通信は、例えば、音声、電子メール（ｅメール）、テキストメッセージ、マルチメディア及び／又はコンテンツデータ、等の通信を搬送するためのデータの通信を含む。提供されるサービスの非限定例は、両方向又は多方向コール、データ通信又はマルチメディアサービス、及びインターネットのようなデータネットワークシステムへのアクセスを含む。
【０００３】
ワイヤレス通信システムでは、少なくとも２つのステーション間の通信の少なくとも一部分がワイヤレスリンクを経て行われる。ワイヤレスシステムは、例えば、公衆地上移動ネットワーク（public land mobile networks，ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルに分割することができ、それ故、セルラーシステムとしばしば称される。
【０００４】
ユーザは、適当な通信装置又はターミナルにより通信システムにアクセスすることができる。ユーザの通信装置は、ユーザ装置（ＵＥ）としばしば称される。通信装置には、通信を可能にし、例えば、通信ネットワークへのアクセス又は他のユーザとの直接的な通信を可能にするために適当な信号受信及び送信装置が設けられる。通信装置は、ステーション、例えば、セルのベースステーションにより与えられるキャリアにアクセスし、そしてそのキャリアにおいて通信を送信及び／又は受信することができる。
【発明の概要】
【発明が解決しようとする課題】
【０００５】
通信システム及びその関連装置は、典型的に、システムに関連した種々のエンティティが何を行うことが許されそしてそれをどのように達成すべきかを規定した所与の規格又は仕様に基づいて動作する。接続に使用すべき通信プロトコル及び／又はパラメータも典型的に規定される。容量の需要増加に関する問題を解消するための試みの一例は、ユニバーサルモバイルテレコミュニケーションズシステム（ＵＭＴＳ）無線アクセス技術の長期進化（ＬＴＥ）として知られたアーキテクチャーである。ＬＴＥは、第三世代パートナーシッププロジェクト（３ＧＰＰ）により規格化されつつある。３ＧＰＰ  ＬＴＥ仕様の種々の開発段階は、リリースと称される。
【課題を解決するための手段】
【０００６】
第１の観点において、一次セルからのマッピング情報を二次セルで受信し、そしてそのマッピング情報を使用して、接続要求を、二次セルに関連したユーザ装置に関連付けることを含む方法が提供される。
【０００７】
前記マッピング情報は、ユーザ装置アイデンティティ情報を含む。
【０００８】
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む。
【０００９】
前記接続要求は、ソース一次セルから前記一次セルへのハンドオーバー手順の一部分である。
【００１０】
前記方法は、二次ノード追加要求メッセージ及び二次ノード変更要求メッセージの１つにおいて前記マッピング情報を受信することを含む。
【００１１】
前記方法は、二次セルを制御するベースステーションにおいて前記方法を遂行することを含む。
【００１２】
第２の観点において、ソース一次セルから、マッピング情報を、ソース一次セルからのハンドオーバー手順の一部分として受信し、そしてそのマッピング情報を、二次セルに関連したユーザ装置に接続要求を関連付けるのに使用するために二次セルに与えることを含む方法が提供される。
【００１３】
前記マッピング情報は、ユーザ装置アイデンティティ情報を含む。
【００１４】
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む。
【００１５】
前記方法は、受信したコントロールプレーンアドレスに基づいて前記二次セルにアプリケーションプロトコルアイデンティティを与えることを含む。
【００１６】
前記方法は、二次ノード追加要求メッセージ及び二次ノード変更要求メッセージの１つにおいて前記マッピング情報を与えることを含む。
【００１７】
前記ソース一次セルからマッピング情報を受信することは、ソース一次セルを制御するベースステーションからマッピング情報を受信することを含む。
【００１８】
前記方法は、一次セルを制御するベースステーションにおいて前記方法を遂行することを含む。
【００１９】
前記マッピング情報を二次セルに与えることは、二次セルを制御するベースステーションに前記マッピング情報を与えることを含む。
【００２０】
第３の観点において、ターゲット一次セルに、マッピング情報を、ターゲットセルへのハンドオーバー手順の一部分として与えることを含む方法が提供される。
【００２１】
前記マッピング情報は、二次セルに関連したユーザ装置のためのユーザ装置アイデンティティ情報を含む。
【００２２】
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む。
【００２３】
前記方法は、一次セルを制御するベースステーションにおいて前記方法を遂行することを含む。
【００２４】
前記マッピング情報をターゲット一次セルに与えることは、ターゲット一次セルを制御するベースステーションに前記マッピングセルを与えることを含む。
【００２５】
第４の観点において、一次セルからのマッピング情報を二次セルで受信する手段、及びそのマッピング情報を使用して、接続要求を、二次セルに関連したユーザ装置に関連付ける手段を備えた装置が提供される。
【００２６】
前記マッピング情報は、ユーザ装置アイデンティティ情報を含む。
【００２７】
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む。
【００２８】
前記接続要求は、ソース一次セルから前記一次セルへのハンドオーバー手順の一部分である。
【００２９】
前記装置は、二次ノード追加要求メッセージ及び二次ノード変更要求メッセージの１つにおいて前記マッピング情報を受信する手段を備えている。
【００３０】
前記装置は、二次セルを制御するベースステーションにおいて前記方法を遂行する手段を備えている。
【００３１】
第５の観点において、ソース一次セルから、マッピング情報を、ソース一次セルからのハンドオーバー手順の一部分として受信する手段、及び前記マッピング情報を、二次セルに関連したユーザ装置に接続要求を関連付けるのに使用するために二次セルに与える手段を備えた装置が提供される。
【００３２】
前記マッピング情報は、ユーザ装置アイデンティティ情報を含む。
【００３３】
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む。
【００３４】
前記装置は、受信したコントロールプレーンアドレスに基づいて前記二次セルにアプリケーションプロトコルアイデンティティを与える手段を備えている。
【００３５】
前記装置は、二次ノード追加要求メッセージ及び二次ノード変更要求メッセージの１つにおいて前記マッピング情報を与える手段を備えている。
【００３６】
ソース一次セルからマッピング情報を受信する前記手段は、ソース一次セルを制御するベースステーションからマッピング情報を受信する手段を備えている。
【００３７】
前記装置は、一次セルを制御するベースステーションにおいて前記方法を遂行する手段を備えている。
【００３８】
前記マッピング情報を二次セルに与える前記手段は、二次セルを制御するベースステーションに前記マッピング情報を与える手段を備えている。
【００３９】
第６の観点において、ターゲット一次セルに、マッピング情報を、ターゲットセルへのハンドオーバー手順の一部分として与える手段を備えた装置が提供される。
【００４０】
前記マッピング情報は、二次セルに関連したユーザ装置のためのユーザ装置アイデンティティ情報を含む。
【００４１】
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む。
【００４２】
前記装置は、一次セルを制御するベースステーションにおいて前記方法を遂行する手段を備えている。
【００４３】
前記マッピング情報をターゲット一次セルに与える前記手段は、ターゲット一次セルを制御するベースステーションに前記マッピング情報を与える手段を備えている。
【００４４】
第７の観点において、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、一次セルからのマッピング情報を二次セルで受信し、そしてそのマッピング情報を使用して、接続要求を、二次セルに関連したユーザ装置に関連付ける、ようにさせるよう構成された装置が提供される。
【００４５】
前記マッピング情報は、ユーザ装置アイデンティティ情報を含む。
【００４６】
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む。
【００４７】
前記接続要求は、ソース一次セルから一次セルへのハンドオーバー手順の一部分である。
【００４８】
前記装置は、二次ノード追加要求メッセージ及び二次ノード変更要求メッセージの１つにおいて前記マッピング情報を受信するように構成される。
【００４９】
前記装置は、前記二次セルを制御するベースステーションにおいて前記方法を遂行するように構成される。
【００５０】
第８の観点において、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、ソース一次セルから、マッピング情報を、ソース一次セルからのハンドオーバー手順の一部分として受信し、及びそのマッピング情報を、二次セルに関連したユーザ装置に接続要求を関連付けるのに使用するために二次セルに与える、ようにさせるよう構成された装置が提供される。
【００５１】
前記マッピング情報は、ユーザ装置アイデンティティ情報を含む。
【００５２】
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む。
【００５３】
前記装置は、受信したコントロールプレーンアドレスに基づいて二次セルにアプリケーションプロトコルアイデンティティを与えるように構成される。
【００５４】
前記装置は、二次ノード追加要求メッセージ及び二次ノード変更要求メッセージの１つにおいて前記マッピング情報を与えるように構成される。
【００５５】
前記装置は、ソース一次セルを制御するベースステーションからマッピング情報を受信するように構成される。
【００５６】
前記装置は、一次セルを制御するベースステーションにおいて前記方法を遂行するように構成される。
【００５７】
前記装置は、二次セルを制御するベースステーションに前記マッピング情報を与えるように構成される。
【００５８】
第９の観点において、少なくとも１つのプロセッサ、及びコンピュータプログラムコードを含む少なくとも１つのメモリを備えた装置において、少なくとも１つのメモリ及びコンピュータプログラムコードは、少なくとも１つのプロセッサとで、装置が、少なくとも、ターゲット一次セルに、マッピング情報を、ターゲットセルへのハンドオーバー手順の一部分として与える、ようにさせるよう構成された装置が提供される。
【００５９】
前記マッピング情報は、二次セルに関連したユーザ装置のためのユーザ装置アイデンティティ情報を含む。
【００６０】
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む。
【００６１】
前記装置は、一次セルを制御するベースステーションにおいて前記方法を遂行するように構成される。
【００６２】
前記装置は、ターゲット一次セルを制御するベースステーションに前記マッピング情報与えるように構成される。
【００６３】
第１０の観点において、非一時的なコンピュータ読み取り可能なストレージ媒体で実施されるコンピュータプログラムであって、一次セルからのマッピング情報を二次セルで受信し、及びそのマッピング情報を使用して、接続要求を、二次セルに関連したユーザ装置に関連付ける、ことを含むプロセスを実行するようにプロセスを制御するためのプログラムコードを含むコンピュータプログラムが提供される。
【００６４】
前記マッピング情報は、ユーザ装置アイデンティティ情報を含む。
【００６５】
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む。
【００６６】
前記接続要求は、ソース一次セルから一次セルへのハンドオーバー手順の一部分である。
【００６７】
前記プロセスは、二次ノード追加要求メッセージ及び二次ノード変更要求メッセージの１つにおいて前記マッピング情報を受信することを含む。
【００６８】
前記プロセスは、前記二次セルを制御するベースステーションにおいて前記方法を遂行することを含む。
【００６９】
第１１の観点において、非一時的なコンピュータ読み取り可能なストレージ媒体で実施されるコンピュータプログラムであって、ソース一次セルから、マッピング情報を、ソース一次セルからのハンドオーバー手順の一部分として受信し、及びそのマッピング情報を、二次セルに関連したユーザ装置に接続要求を関連付けるのに使用するために二次セルに与える、ことを含むプロセスを実行するようにプロセスを制御するためのプログラムコードを含むコンピュータプログラムが提供される。
【００７０】
前記マッピング情報は、ユーザ装置アイデンティティ情報を含む。
【００７１】
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む。
【００７２】
前記プロセスは、受信したコントロールプレーンアドレスに基づいて二次セルにアプリケーションプロトコルアイデンティティを与えることを含む。
【００７３】
前記プロセスは、二次ノード追加要求メッセージ及び二次ノード変更要求メッセージの１つにおいて前記マッピング情報を与えることを含む。
【００７４】
ソース一次セルからマッピング情報を受信することは、ソース一次セルを制御するベースステーションからマッピング情報を受信することを含む。
【００７５】
前記プロセスは、一次セルを制御するベースステーションにおいて前記方法を遂行することを含む。
【００７６】
二次セルに前記マッピング情報を与えることは、二次セルを制御するベースステーションに前記マッピング情報を与えることを含む。
【００７７】
第１２の観点において、非一時的なコンピュータ読み取り可能なストレージ媒体で実施されるコンピュータプログラムであって、ターゲット一次セルに、マッピング情報を、ターゲットセルへのハンドオーバー手順の一部分として与える、ことを含むプロセスを実行するようにプロセスを制御するためのプログラムコードを含むコンピュータプログラムが提供される。
【００７８】
前記マッピング情報は、二次セルに関連したユーザ装置のためのユーザ装置アイデンティティ情報を含む。
【００７９】
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む。
【００８０】
前記プロセスは、一次セルを制御するベースステーションにおいて前記方法を遂行することを含む。
【００８１】
ターゲット一次セルに前記マッピング情報を与えることは、ターゲット一次セルを制御するベースステーションに前記マッピング情報を与えることを含む。
【００８２】
第１３の観点において、コンピュータのためのコンピュータプログラム製品であって、この製品がコンピュータで実行されるときに前記第１、第２及び第３の観点のうちのいずれか１つの観点のステップを遂行するソフトウェアコード部分を備えたコンピュータプログラム製品が提供される。
【００８３】
以上、多数の異なる実施形態を説明したが、上述した実施形態の２つ以上を組み合わせることで更に別の実施形態が提供されることが明らかであろう。
【００８４】
以下、添付図面を参照して、実施形態を一例として説明する。
【図面の簡単な説明】
【００８５】
【図１】ベースステーション及び複数の通信装置を備えた規範的通信システムの概略図である。
【図２】規範的移動通信装置の概略図である。
【図３】二重接続に含まれるｅＮＢのＣ平面接続の概略図である。
【図４】二重接続に含まれるｅＮＢのＵ平面接続の概略図である。
【図５】インターＭｅＮＢハンドオーバーの規範的シグナリング図である。
【図６ａ】ＭｅＮＢハンドオーバーにおけるマッピングメカニズムの規範的方法のフローチャートである。
【図６ｂ】ＭｅＮＢハンドオーバーにおけるマッピングメカニズムの規範的方法のフローチャートである。
【図６ｃ】ＭｅＮＢハンドオーバーにおけるマッピングメカニズムの規範的方法のフローチャートである。
【図７】インターＭｅＮＢハンドオーバーの規範的シグナリング図である。
【図８】インターＭｅＮＢハンドオーバーの規範的シグナリング図である。
【図９】規範的制御装置を示す。
【図１０】規範的装置の概略図である。
【図１１】規範的装置の概略図である。
【図１２】規範的装置の概略図である。
【発明を実施するための形態】
【００８６】
実施例を詳細に説明する前に、ここに述べる実施例の基礎となる技術の理解を助けるために図１から２を参照してワイヤレス通信システム及び移動通信装置の幾つかの一般的な原理を簡単に説明する。
【００８７】
図１に示すようなワイヤレス通信システム１００において、移動通信装置又はユーザ装置（ＵＥ）１０２、１０４、１０５は、少なくとも１つのベースステーション又は同様のワイヤレス送信及び／又は受信ノード又はアクセスポイントを経てワイヤレスアクセスが与えられる。ベースステーションは、典型的に、少なくとも１つの適当なコントローラ装置により制御されて、その動作を可能にすると共に、ベースステーションとの通信において移動通信装置の管理を可能にする。コントローラ装置は、無線アクセスネットワーク（例えば、ワイヤレス通信システム１００）又はコアネットワーク（図示せず）に位置されて、１つの中央装置として実施されてもよいし、或いはその機能が多数の装置にわたって分散されてもよい。コントローラ装置は、ベースステーションの一部分でもよいし、及び／又は無線ネットワークコントローラのような個別のエンティティによって設けられてもよい。図１において、コントローラ装置１０８及び１０９は、各マクロレベルベースステーション１０６及び１０７を制御するように示されている。ベースステーションのコントローラ装置は、他の制御エンティティと相互接続される。コントローラ装置には、典型的に、メモリ容量及び少なくとも１つのデータプロセッサが設けられる。コントローラ装置及びその機能は、複数の制御ユニット間に分散されてもよい。それに加えて又はそれとは別に、あるシステムでは、コントローラ装置が無線ネットワークコントローラに設けられてもよい。
【００８８】
しかしながら、ＬＴＥシステムは、ＲＮＣを伴わずに、いわゆる「フラット」アーキテクチャーを有すると考えられ、むしろ、（ｅ）ＮＢが、システムアーキテクチャー進化ゲートウェイ（ＳＡＥ−ＧＷ）及び移動管理エンティティ（ＭＭＥ）と通信し、これらエンティティはプールされてもよく、これは、複数のそれらノードが複数（１組）の（ｅ）ＮＢにサービスすることを意味する。各ＵＥは、一度に１つのＭＭＥ及び／又はＳ−ＧＷのみによってサービスされ、そして（ｅ）ＮＢは、現在の関連性を追跡する。ＳＡＥ−ＧＷは、ＬＴＥにおける「高レベル」ユーザ平面コアネットワーク要素であり、これは、Ｓ−ＧＷ及びＰ−ＧＷ（各々サービングゲートウェイ及びパケットデータネットワークゲートウェイ）より成る。Ｓ−ＧＷ及びＰ−ＧＷの機能は分離され、そして共同配置される必要はない。
【００８９】
図１において、ベースステーション１０６及び１０７は、ゲートウェイ１１２を経て広い通信ネットワーク１１３に接続されるように示されている。別のネットワークに接続するための更に別のゲート機能が設けられてもよい。
【００９０】
又、例えば、個別のゲートウェイ機能により、及び／又はマクロレベルステーションのコントローラを経て、小さなベースステーション１１６、１１８及び１２０がネットワーク１１３に接続されてもよい。これらベースステーション１１６、１１８及び１２０は、ピコ又はフェムトレベルのベースステーション、等でよい。例えば、ステーション１１６及び１１８は、ゲートウェイ１１１を経て接続され、一方、ステーション１２０は、コントローラ装置１０８を経て接続される。ある実施形態において、小さなステーションは、設けられなくてもよい。
【００９１】
通信装置２００の概略部分断面図である図２を参照し、考えられる移動通信装置を以下に詳細に説明する。そのような通信装置は、しばしば、ユーザ装置（ＵＥ）又はターミナルと称される。無線信号を送信及び受信できる装置によって適当な移動通信装置が形成される。非限定例として、移動電話のような移動ステーション（ＭＳ）又は移動装置或いは「スマートホン」として知られているもの、ワイヤレスインターフェイスカード又は他のワイヤレスインターフェイスファシリティ（例えば、ＵＳＢドングル）が設けられたコンピュータ、パーソナルデータアシスタント（ＰＤＡ）、又はワイヤレス通信機能が設けられたタブレット、又はそれらの組み合せ、等が含まれる。移動通信装置は、例えば、音声、電子メール（ｅメール）、テキストメッセージ、マルチメディア、等の通信を搬送するためのデータの通信を果たす。従って、ユーザには、自身の通信装置を経て多数のサービスがオファーされ提供される。それら装置の非限定例は、両方向又は多方向コール、データ通信又はマルチメディアサービス、或いは単にインターネットのようなデータ通信ネットワークシステムへのアクセスを含む。又、ユーザには、ブロードキャスト又はマルチキャストデータも提供される。コンテンツの非限定例は、ダウンロード、テレビ及びラジオ番組、ビデオ、広告、種々の警報及び他の情報を含む。
【００９２】
移動装置２００は、エア又は無線インターフェイス２０７を経、適当な受信装置を経て、信号を受信し、そして適当な無線信号送信装置を経て信号を送信する。図２において、トランシーバ装置がブロック２０６で概略的に示されている。トランシーバ装置２０６は、例えば、無線部及びそれに関連したアンテナ構成体により形成される。アンテナ構成体は、移動装置の内部に配置されてもよいし又はその外部に配置されてもよい。
【００９３】
移動装置には、典型的に、少なくとも１つのデータ処理エンティティ２０１、少なくとも１つのメモリ２０２、並びにアクセスシステムや他の通信装置へのアクセス及びそれとの通信の制御を含めて、遂行するべく指定されたタスクのソフトウェア及びハードウェア支援実行に使用される他の考えられるコンポーネント２０３も設けられる。データ処理、ストレージ及び他の当該制御装置が適当な回路板及び／又はチップセットに設けられる。この特徴は、参照番号２０４で示されている。ユーザは、キーパッド２０５、ボイスコマンド、タッチ感知スクリーン又はパッド、その組み合わせ、等の適当なユーザインターフェイスにより、移動装置の動作を制御する。ディスプレイ２０８、スピーカ及びマイクロホンも設けられる。更に、移動通信装置は、他の装置への、及び／又は例えばハンズフリー装置のような外部アクセサリを接続するための、適当なコネクタ（ワイヤード又はワイヤレス）を含む。
【００９４】
通信装置１０２、１０４、１０５は、コード分割多重アクセス（ＣＤＭＡ）又はワイドバンドＣＤＭＡ（ＷＣＤＭＡ（登録商標））のような種々のアクセス技術に基づいて通信システムにアクセスすることができる。他の非限定例として、時分割多重アクセス（ＴＤＭＡ）、周波数分割多重アクセス（ＦＤＭＡ）、及びその種々のスキーム、例えば、インターリーブ型周波数分割多重アクセス（ＩＦＤＭＡ）、単一搬送波周波数分割多重アクセス（ＳＣ−ＦＤＭＡ）及び直交周波数分割多重アクセス（ＯＦＤＭＡ）、スペース分割多重アクセス（ＳＤＭＡ）、等々が含まれる。
【００９５】
ワイヤレス通信システムの一例は、第３世代パートナーシッププロジェクト（３ＧＰＰ）によって規格化されたアーキテクチャーである。少なくとも３ＧＰＰベースの開発は、ユニバーサルモバイルテレコミュニケーションズシステム（ＵＭＴＳ）無線アクセステクノロジーの長期進化（ＬＴＥ）としばしば称されている。３ＧＰＰ仕様の種々の開発段階は、リリースと称される。ＬＴＥのより最近の開発は、ＬＴＥアドバンスト（ＬＴＥ−Ａ）としばしば称される。ＬＴＥは、進化型ユニバーサル地上無線アクセスネットワーク（Ｅ−ＵＴＲＡＮ）として知られた移動アーキテクチャーを使用する。そのようなシステムのベースステーションは、進化型又はエンハンストノードＢ（ｅＮＢ）として知られており、そして通信装置に向かうユーザ平面無線リンクコントロール／メディアアクセスコントロール／物理的レイヤプロトコル（ＲＬＣ／ＭＡＣ／ＰＨＹ）及びコントロールプレーン無線リソースコントロール（ＲＲＣ）プロトコルターミネーションのようなＥ−ＵＴＲＡＮ特徴を与える。無線アクセスシステムの他の例は、ワイヤレスローカルエリアネットワーク（ＷＬＡＮ）及び／又はＷｉＭａｘ（マイクロ波アクセスのための世界的運用性）のようなテクノロジーに基づくシステムのベースステーションにより形成されるものを含む。ベースステーションは、セル全体又は同様の無線サービスエリアのカバレージを与えることができる。
【００９６】
二重接続は、接続モード、例えば、ＲＲＣ＿ＣＯＮＮＥＣＴＥＤモードにおけるＵＥの動作モードである。ＵＥは、マスターセルグループ（ＭＣＧ）及び二次セルグループ（ＳＣＧ）で構成される。
【００９７】
図３は、二重接続に伴うｅＮＢ３１０及び３２０のＣ平面接続の概略図である。ＭｅＮＢ３１０とＭＭＥ３３０との間のインターフェイスは、Ｓ１−ＭＭＥである。ＭｅＮＢ３１０とＳｅＮＢ３２０との間のインターフェイスは、Ｘ２−Ｃである。
【００９８】
図４は、二重接続に伴うｅＮＢ４１０及び４２０のＵ平面接続の概略図である。ＭｅＮＢ４１０とＳ−ＧＷ４３０との間、及びＳｅＮＢ４２０とＳＧＷ４３０との間のインターフェイスは、Ｓ１−Ｕである。ＭｅＮＢ４１０とＳｅＮＢ４２０との間のインターフェイスは、Ｘ２−Ｕである。
【００９９】
二重接続において、３つのタイプのベアラがある。それらは、ＭＣＧベアラ、スプリットベアラ、及びＳＣＧベアラである。ＭＣＧベアラの場合、ＭｅＮＢは、Ｓ１−Ｕを経てＳ−ＧＷに接続されたＵ平面であり、ＳｅＮＢは、ユーザ平面データの搬送には含まれない。スプリットベアラの場合、ＭｅＮＢは、Ｓ１Ｕを経てＳ−ＧＷに接続されたＵ平面であり、そしてＭｅＮＢ及びＳｅＮＢは、Ｘ２−Ｕを経て相互接続される。ＳＣＧベアラの場合、ＳｅＮＢは、Ｓ１−Ｕを経てＳ−ＧＷに直接接続される。
【０１００】
ＭｅＮＢハンドオーバー、即ちＭｅＮＢが現在のものから新たなものへと変化するが、ＳｅＮＢが変化しない場合は、ＳｅＮＢは、古いセッションを新たなセッションでマップすることはできない。というのは、ＵＥ（古いセッションにおいてアクティブであった）に関連したマップ情報が得られないからである。
【０１０１】
ＳｅＮＢ接続に関するインターＭｅＮＢハンドオーバーのための規範的なシグナリング手順が図５に示されている。ＭｅＮＢファンクションをターゲットＭｅＮＢに向けてリロケートするためにＸ２ハンドオーバー又はＳ１ハンドオーバーが実行される。
【０１０２】
図５に示す手順のステップ１において、ハンドオーバー要求メッセージは、ソースＭｅＮＢ（Ｓ−ＭｅＮＢ）５１０からターゲットＭｅＮＢ（Ｔ−ＭｅＮＢ）５２０へＳｅＮＢコンテキスト情報を搬送する。ＳｅＮＢコンテキスト情報は、Ｓ−ＭｅＮＢ５１０において得られるＳｅＮＢ情報をＴ−ＭｅＮＢ５２０へ転送するのに必要な任意の情報を含む。又、このＳｅＮＢコンテキスト情報を搬送するためにＭＭＥ５４０を経てＳ１ベースのハンドオーバーシグナリングメッセージを使用することもできる。
【０１０３】
ステップ２及び３におけるＳｅＮＢ追加手順は、Ｔ−ＭｅＮＢ５２０とＳｅＮＢ５３０との間にＸ２シグナリング接続を確立する。ＳｅＮＢベアラが直接的なＳ１−Ｕベアラオプションで構成される場合には、Ｔ−ＭｅＮＢ５２０からセキュリティ資料を導出しなければならないので、新たなセキュリティコンテキストを確立する必要がある。
【０１０４】
データ転送アドレスは、ステップ１及び４において交換され、この場合に、データ転送は、ステップ５でスタートすることができ、厳密なタイミングは、Ｘ２ハンドオーバーのように実施特有である。
【０１０５】
ステップ１０において、Ｓ−ＭｅＮＢ５１０は、ＳｅＮＢ５３０に向けてシグナリング接続をリリースする。
【０１０６】
ステップ１２において、Ｔ−ＭｅＮＢ５２０は、通常のＸ２  ＨＯのように、Ｓ−ＭｅＮＢ５１０に向けてＸ２シグナリング接続をリリースする。
【０１０７】
しかしながら、この方法では、ハンドオーバーが行われた後にＳｅＮＢ５３０においてＵＥ５００を識別するものがないので、ＳｅＮＢ５３０が古いセッション及び新たなセッションをマップすることができない。
【０１０８】
図６ａは、ＳｅＮＢ接続を保持するインターＭｅＮＢハンドオーバーの規範的方法のフローチャートである。この方法は、第１ステップＳ１において、一次セルからのマッピング情報を二次セルで受信し、及び第２ステップＳ２において、そのマッピング情報を使用して、接続要求を、二次セルに関連したユーザ装置に関連付けることを含む。マッピング情報は、ソース一次セルからのハンドオーバー手順の一部分として、ソース一次セルから一次セルにおいて受信される。この方法は、二次セルを制御するベースステーション、例えば、二次ベースステーションにおいて遂行される。
【０１０９】
図６ｂは、ＳｅＮＢ接続を保持するインターＭｅＮＢハンドオーバーの規範的方法のフローチャートを示す。この方法は、第１ステップＴ１において、ソース一次セルから、マッピング情報を、ソース一次セルからのハンドオーバー手順の一部分として受信し、及び第２ステップＴ２において、そのマッピング情報を、二次セルに関連したユーザ装置に接続要求を関連付けるのに使用するために二次セルに与えることを含む。この方法は、ベースステーション、例えば、一次ベースステーションにおいて遂行される。
【０１１０】
図６ｃは、ＳｅＮＢ接続を保持するインターＭｅＮＢハンドオーバーの規範的方法のフローチャートである。この方法は、ステップＲ１において、ターゲット一次セルに、マッピング情報を、ターゲットセルへのハンドオーバー手順の一部分として与えることを含む。この方法は、ベースステーション、例えば、一次ベースステーションにおいて遂行される。
【０１１１】
マッピング情報は、各セルを制御するベースステーションから送信するようにされる。前記マッピング情報を受信することは、各セルを制御するベースステーションにおいて前記マッピング情報を受信することを含む。
【０１１２】
一次及び二次セルは、同じベースステーションにより制御されてもよいし又は異なるベースステーションにより制御されてもよい。二次セルは、二次ベースステーション、例えば、ＳｅＮＢにより制御される。一次セルは、一次ベースステーション、例えば、ＭｅＮＢにより制御される。図６ａに示す方法における一次セルは、ターゲット一次セルであり、ベースステーション、例えば、Ｔ−ＭｅＮＢにより制御される。ソース一次セルは、ベースステーション、例えば、Ｓ−ＭｅＮＢにより制御される。
【０１１３】
マッピング情報は、例えば、二次セルグループＥ−ＵＴＲＡＮセルグローバル識別子（ＳＣＧ−ＥＣＧＩ）及び二次セルグループセル無線ネットワーク一時的識別子（ＳＣＧ−Ｃ−ＲＮＴＩ）のようなユーザ装置アイデンティティ情報を含む。それとは別に又はそれに加えて、マッピング情報は、特殊な二次セル物理的セル識別子（ＰＳＣｅｌｌ  ＰＣＩ）を含む。それとは別に又はそれに加えて、マッピング情報は、Ｘ２アプリケーションプロトコルアイデンティティ（ＡＰＩＤ）及びコントロールプレーン（ＣＰ）アドレスを含む。
【０１１４】
二次セルに関連したユーザ装置は、ソース一次セルとターゲット一次セルとの間のハンドオーバー手順の前に二次セルとの進行中セッションを有していた二重接続モードのユーザ装置である。
【０１１５】
ある実施形態において、Ｓ−ＭｅＮＢは、ＳＣＧ−ＥＣＧＩ及びＳＣＧ−Ｃ−ＲＮＴＩをターゲットＭｅＮＢへ送信する。マッピング情報は、追加要求メッセージにおいて二次セルへ送信される。Ｔ−ＭｅＮＢは、ＳｅＮＢに追加要求メッセージを送信し、これは、この例では、Ｓ−ＭｅＮＢにより与えられたＳＣＧ−Ｃ−ＲＮＴＩ及びＳＣＧ−ＥＣＧＩを含む。
【０１１６】
次いで、ＳｅＮＢは、マッピング情報に基づいて古いＵＥコンテキスト及び新たなセッション要求をマップし、そして同じセッションを保持する。
【０１１７】
図７は、ステップ１のハンドオーバー要求メッセージがＳｅＮＢコンテキスト情報を搬送する１つの実施形態におけるハンドオーバー手順の規範的シグナリング手順を示す。コンテキスト情報は、Ｓ−ＭｅＮＢ７１０で得られるＳｅＮＢ情報をＴ−ＭｅＮＢ７２０へ転送するのに必要な任意の情報である。更に、Ｓ−ＭｅＮＢ７１０は、ＳＣＧ−Ｃ−ＲＮＴＩ及びＳＣＧ−ＥＣＧＩをハンドオーバー要求メッセージにおいてＴ−ＭｅＮＢ７２０に与える。又、このＳｅＮＢコンテキスト情報を搬送するためにＭＭＥ７５０を経てＳ１ベースのハンドオーバーシグナリングメッセージを使用することもできる。
【０１１８】
ステップ２において、Ｔ−ＭｅＮＢ７２０は、ＳＣＧ−Ｃ−ＲＮＴＩ及びＳＣＧ−ＥＣＧＩを追加要求メッセージにおいてＳｅＮＢ７３０に与える。次いで、ＳｅＮＢ７３０は、古いセッション及び新たなセッションのマッピングを実行する。ＳＣＧ−ＥＣＧＩに代って、Ｔ−ＭｅＮＢ７２０は、ＰＳＣｅｌｌ  ＰＣＩをＳｅＮＢ７３０に与える。ステップ２において、ＵＥセキュリティ能力、ＡＳセキュリティ情報、ＵＥ  ＡＭＢＲ、ハンドオーバー制限リストのような情報は、ＳｅＮＢ７３０において既に入手できるので、追加要求メッセージから省略される。ステップ３から１１は、図５の場合と同様である。
【０１１９】
ある実施形態において、マッピング情報は、ＳｅＮＢ  Ｘ２  ＡＰＩＤ及びＳｅＮＢ  ＣＰアドレスを含む。Ｓ−ＭｅＮＢ７１０は、ＳｅＮＢ  Ｘ２  ＡＰＩＤ及びＳｅＮＢ  ＣＰアドレスをＴ−ＭｅＮＢ７２０へ送信する。Ｔ−ＭｅＮＢ７２０は、古いＡＰＩＤ（Ｓ−ＭｅＮＢにより指定された）及びＳ−ＭｅＮＢ７１０により与えられたＳｅＮＢのＣＰアドレスを使用してＳｅＮＢ変更要求メッセージを送信する。ＳｅＮＢ７３０は、古いＡＰＩＤに基づいて古いＵＥコンテキスト及び新たなセッションをマップし、そして同じセッションを保持する。
【０１２０】
図８は、ステップ１におけるＳ−ＭｅＮＢ８１０からＴ−ＭｅＮＢ８２０へのハンドオーバー要求メッセージが、Ｓ−ＭｅＮＢにより指定された古いＸ２  ＡＰＩＤ及びＳｅＮＢ  ＣＰアドレスをＴ−ＭｅＮＢ８２０に与える一実施形態に基づくシグナリング手順を示す。
【０１２１】
ステップ２において、Ｔ−ＭｅＮＢ８２０は、古いＸ２  ＡＰＩＤを伴うＳｅＮＢ追加要求を、与えられたＣＰアドレスに基づいてＳｅＮＢ８３０へ送信して、ＳｅＮＢ８３０が古いセッション及び新たなセッションのマッピングを実行できるようにする。
【０１２２】
それとは別に、ＳｅＮＢ追加要求及び応答メッセージ（図３、６及び７のステップ２及びステップ３）に代って、ＳｅＮＢ変更要求及び応答メッセージが使用されてもよい。ＳｅＮＢ変更要求は、二次セルユーザ装置情報、例えば、古いＸ２  ＡＰＩＤ、ＳＣＧ−ＥＣＧＩ、ＳＣＧ−Ｃ−ＲＮＴＩ情報及び／又はＰＳＣｅｌｌ  ＰＣＩを含む。
【０１２３】
前記方法は、インターＭｅＮＢハンドオーバーの場合にセッション及びノードのためのマッピングメカニズムをなす。このメカニズムをサポートすることにより、ＵＥ及びＳｅＮＢは、進行中セッションを保持し、そしてより高速のハンドオーバーを与えることができる。
【０１２４】
図６ａ、６ｂ、及び６ｃのフローチャートの各ブロック並びにその組み合せは、ハードウェア、ソフトウェア、ファームウェア、１つ以上のプロセッサ及び／又は回路のような種々の手段又はそれらの組み合せにより具現化できることを理解されたい。
【０１２５】
図１から８を参照して上述した実施形態は、図９に示す制御装置又は図２のような移動装置において具現化される。図９は、例えば、ベースステーション又は（ｅ）ノードＢ或いはサーバー又はホストのようなアクセスシステムのステーションに結合され及び／又はそれを制御するための通信システム用の制御装置の一例を示す。ある実施形態では、ベースステーションは、個別の装置ユニット又はモジュールを含む。他の実施形態では、制御装置は、無線ネットワークコントローラ又はスペクトルコントローラのような別のネットワーク要素である。ある実施形態では、各ベースステーションは、そのような制御装置、及び無線ネットワークコントローラに設けられる制御装置を有する。制御装置３００は、システムのサービスエリアにおいて通信に関する制御を与えるように構成される。制御装置３００は、少なくとも１つのメモリ３０１、少なくとも１つのデータ処理ユニット３０２、３０３及び入力／出力インターフェイス３０４を備えている。インターフェイスを経て、制御装置は、ベースステーションの受信器及び送信器に結合される。受信器及び／又は送信器は、無線フロントエンド又はリモート無線ヘッドとして具現化されてもよい。例えば、制御装置３００は、適当なソフトウェアコードを実行して制御機能を与えるように構成される。制御機能は、少なくとも、一次セルからのマッピング情報を二次セルで受信し、及びそのマッピング情報を使用して、接続要求を、二次セルに関連したユーザ装置に関連付ける、ことを含む。それとは別に又はそれに加えて、制御機能は、ソース一次セルから、マッピング情報を、ソース一次セルからのハンドオーバー手順の一部分として受信し、及びそのマッピング情報を、二次セルに関連したユーザ装置に接続要求を関連付けるのに使用するために二次セルに与える、ことを含む。それとは別に又はそれに加えて、制御機能は、少なくとも、ターゲット一次セルにマッピング情報をターゲットセルへのハンドオーバー手順の一部分として与えることを含む。
【０１２６】
装置１０００の一例が図１０に示されており、一次セルからのマッピング情報を二次セルで受信する手段１０１０、及びそのマッピング情報を使用して、接続要求を、二次セルに関連したユーザ装置に関連付ける手段１０２０を備えている。
【０１２７】
装置１１００の一例が図１１に示されており、ソース一次セルから、マッピング情報を、ソース一次セルからのハンドオーバー手順の一部分として受信する手段１１１０、及びそのマッピング情報を、二次セルに関連したユーザ装置に接続要求を関連付けるのに使用するために二次セルに与える手段１１２０を備えている。
【０１２８】
装置１２００の一例が図１２に示されており、ターゲット一次セルにマッピング情報をターゲットセルへのハンドオーバー手順の一部分として与える手段１２１０を備えている。
【０１２９】
又、以上に規範的実施形態を述べたが、本発明の範囲から逸脱せずに、ここに開示した解決策に対して多数の変更や修正がなされ得ることに注意されたい。
【０１３０】
一般的に、種々の実施形態は、ハードウェア又は特殊目的回路、ソフトウェア、ロジック、又はその組合せで実施される。本発明の幾つかの観点は、ハードウェアで実施され、一方、他の観点は、コントローラ、マイクロプロセッサ又は他のコンピューティング装置で実行されるファームウェア又はソフトウェアで実施されるが、本発明は、それに限定されない。又、本発明の種々の観点は、ブロック図、フローチャートとして、又は他の絵画的表現を使用して、図示して説明したが、それらブロック、装置、システム、技術、又はここに述べる方法は、非限定例として、ハードウェア、ソフトウェア、ファームウェア、特殊目的回路又はロジック、汎用ハードウェア又はコントローラ又は他のコンピューティング装置、或いはその組合せで実施されてもよいことを理解されたい。
【０１３１】
図１から８を参照して上述した実施形態は、データプロセッサ、少なくとも1つの処理ユニット、又はベースステーションのような装置、例えば、ｅＮＢ、又はＵＥのプロセスにより、例えば、プロセッサエンティティにおいて実行可能なコンピュータソフトウェア、又はハードウェア、或いはソフトウェア及びハードウェアの組合せによって具現化することができる。ソフトウェアルーチン、アプレット及び／又はマクロを含めて、プログラム製品とも称されるコンピュータソフトウェア又はプログラムは、装置で読み取り可能なデータストレージ媒体又は配布媒体に記憶され、そしてそれらは、特定のタスクを遂行するためのプログラムインストラクションを含む。装置で読み取り可能なデータストレージ媒体又は配布媒体は、非一時的媒体である。コンピュータプログラム製品は、プログラム実行時に、前記実施形態を実施するよう構成された１つ以上のコンピュータ実行可能なコンポーネントを含む。その１つ以上のコンピュータ実行可能なコンポーネントは、少なくとも１つのソフトウェアコード又はその部分である。
【０１３２】
更に、この点に関して、図中の論理フローのブロックは、プログラムステップ又は相互接続されるロジック回路、ブロック及び機能、或いはそれらのプログラムステップ及びロジック回路、ブロック及び機能の組合せを表わす。ソフトウェアは、プロセッサ内で実施されるメモリチップ又はメモリブロックのような物理的媒体、ハードディスク又はフロッピーディスクのような磁気媒体、並びに例えばＤＶＤ及びそのデータ異形体であるＣＤのような光学媒体に記憶される。物理的媒体は、非一時的媒体である。
【０１３３】
メモリは、ローカル技術的環境に適した形式のもので、適当なデータ記憶技術、例えば、半導体ベースのメモリ装置、磁気メモリ装置及びシステム、光学的メモリ装置及びシステム、固定メモリ及び除去可能なメモリを使用して具現化される。データプロセッサは、ローカル技術的環境に適した形式のもので、汎用コンピュータ、特殊目的コンピュータ、マイクロプロセッサ、デジタル信号プロセッサ（ＤＳＰ）、特定用途向け集積回路（ＡＳＩＣ）、ＦＰＧＡ、ゲートレベル回路、及びマルチコアプロセッサアーキテクチャーに基づくプロセッサ、の１つ以上を非限定例として含む。
【０１３４】
図１から８に関連して上述した実施形態は、集積回路モジュールのような種々のコンポーネントにおいて実施される。集積回路の設計は、全般的に、高度に自動化されたプロセスである。論理レベル設計を、半導体基板上にエッチング及び成形の準備のできた半導体回路設計へと変換するために、複雑且つパワフルなソフトウェアツールを利用することができる。
【０１３５】
以上の記述は、本発明の規範的実施形態の完全且つ有益な説明を非限定例として与えるものである。しかしながら、当業者であれば、以上の記述に鑑み、添付図面及び特許請求の範囲と共に読んだときに、種々の変更や適応が明らかとなろう。しかしながら、本発明の教示のそのような変更及び同様の変更は、全て、特許請求の範囲に規定された本発明の範囲内に包含される。実際に、１つ以上の実施形態と上述した他のいずれかの実施形態との組合せよりなる更に別の実施形態も考えられる。
【符号の説明】
【０１３６】
１００：ワイヤレス通信システム
１０２、１０４、１０５：ユーザ装置（ＵＥ）
１０６、１０７：ベースステーション
１０８、１０９：コントローラ装置
１１２：ゲートウェイ
１１３：通信ネットワーク
１１６、１１８、１２０：小さなベースステーション
２００：移動装置
２０１：データ処理エンティティ
２０２：メモリ
２０３：他のコンポーネント
２０５：キーパッド
２０６：トランシーバ装置
２０７：エアインターフェイス
２０８：ディスプレイ
３００：制御装置
３０１：メモリ
３０２、３０３：データ処理ユニット
３０４：入力／出力インターフェイス
３１０、３２０：ｅＮＢ
３２０：ＳｅＮＢ
４１０、４２０：ｅＮＢ
４３０：Ｓ−ＧＷ
１０００、１１００、１２００：装置
【図１】
2018504059.tif 000003
【図２】
2018504059.tif 000004
【図３】
2018504059.tif 000005
【図４】
2018504059.tif 000006
【図５】
2018504059.tif 000007
【図６ａ】
2018504059.tif 000008
【図６ｂ】
2018504059.tif 000009
【図６ｃ】
2018504059.tif 000010
【図７】
2018504059.tif 000011
【図８】
2018504059.tif 000012
【図９】
2018504059.tif 000013
【図１０】
2018504059.tif 000014
【図１１】
2018504059.tif 000015
【図１２】
2018504059.tif 000016
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
一次セルからのマッピング情報を二次セルで受信し、及び
前記マッピング情報を使用して、接続要求を、二次セルに関連したユーザ装置に関連付ける、
ことを含む方法。
【請求項２】
前記マッピング情報は、ユーザ装置アイデンティティ情報を含み、
前記ユーザ装置アイデンティティ情報は、Ｅ−ＵＴＲＡＮセルグローバル識別子、セル無線ネットワーク一時的識別子、アプリケーションプロトコルアイデンティティ及び物理的セルアイデンティティのうちの少なくとも１つを含む、請求項１に記載の方法。
【請求項３】
前記接続要求は、ソース一次セルから前記一次セルへのハンドオーバー手順の一部分である、請求項１又は２に記載の方法。
【請求項４】
二次ノード追加要求メッセージ及び二次ノード変更要求メッセージの１つにおいて前記マッピング情報を受信することを含む、請求項３に記載の方法。
【請求項５】
前記二次セルを制御するベースステーションにおいて前記方法を遂行することを含む、請求項１から４のいずれかに記載の方法。
【請求項６】
ソース一次セルから、マッピング情報を、ソース一次セルからのハンドオーバー手順の一部分として受信し、及び
前記マッピング情報を、二次セルに関連したユーザ装置に接続要求を関連付けるのに使用するために二次セルに与える、
ことを含む方法。
【請求項７】
前記マッピング情報は、ユーザ装置アイデンティティ情報を含み、
前記ユーザ装置アイデンティティ情報は、Ｅ−ＵＴＲＡＮセルグローバル識別子、セル無線ネットワーク一時的識別子、アプリケーションプロトコルアイデンティティ、コントロールプレーンアドレス及び物理的セルアイデンティティのうちの少なくとも１つを含む、請求項６に記載の方法。
【請求項８】
受信したコントロールプレーンアドレスに基づいて前記二次セルにアプリケーションプロトコルアイデンティティを与えることを含む、請求項７に記載の方法。
【請求項９】
二次ノード追加要求メッセージ及び二次ノード変更要求メッセージの１つにおいて前記マッピング情報を与えることを含む、請求項６から８のいずれか１つに記載の方法。
【請求項１０】
ターゲット一次セルに、マッピング情報を、ターゲットセルへのハンドオーバー手順の一部分として与える、ことを含む方法。
【請求項１１】
前記マッピング情報は、二次セルに関連したユーザ装置のためのユーザ装置アイデンティティ情報を含み、
前記ユーザ装置アイデンティティ情報は、Ｅ−ＵＴＲＡＮセルグローバル識別子、セル無線ネットワーク一時的識別子、アプリケーションプロトコルアイデンティティ、物理的セルアイデンティティ及びコントロールプレーンアドレスのうちの少なくとも１つを含む、請求項１０に記載の方法。
【請求項１２】
請求項１から１１のいずれか１つに記載の方法を実施するための手段を備えた装置。
【請求項１３】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
一次セルからのマッピング情報を二次セルで受信し、及び
前記マッピング情報を使用して、接続要求を、二次セルに関連したユーザ装置に関連付ける、
ようにさせるよう構成された、装置。
【請求項１４】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
ソース一次セルから、マッピング情報を、ソース一次セルからのハンドオーバー手順の一部分として受信し、及び
前記マッピング情報を、二次セルに関連したユーザ装置に接続要求を関連付けるのに使用するために二次セルに与える、
ようにさせるよう構成された、装置。
【請求項１５】
少なくとも１つのプロセッサ、及び
コンピュータプログラムコードを含む少なくとも１つのメモリ、
を備えた装置において、前記少なくとも１つのメモリ及びコンピュータプログラムコードは、前記少なくとも１つのプロセッサとで、前記装置が、少なくとも、
ターゲット一次セルに、マッピング情報を、ターゲットセルへのハンドオーバー手順の一部分として与える、
ようにさせるよう構成された、装置。
【国際調査報告】
2018504059.tif 000017
2018504059.tif 000018
2018504059.tif 000019